(57)【要約】【課題】重量の重い建築用シャッターの躯体への取り付け作業を容易にし、作業時間を短縮できるように構成する。【解決手段】下地材５に、左右一対の取り付けブラケット９、１０を固定し、これら取り付けブラケット９、１０にシヤッターカーテン１が巻装される巻き取りドラムの両端部を回転自在に支持した巻き取りユニットＵを構成し、該巻き取りユニットＵをクレーンで持ち上げて躯体に固定するにあたり、巻き取りドラム２に、クレーンに連結する第一索体１３を連結するとともに、下地材５を構成する横パイプ材５ａに、巻き上げ装置１６に連結する第二索体１５を連結し、巻き上げ機１６の巻き上げ操作で、巻き取りユニットＵを巻き取りドラム２の固定軸２ａを支点として回転揺動して起立姿勢とし、その後、躯体に固定するように構成する。【選択図】図９
2007113344.tif 000002
【特許請求の範囲】
【請求項１】
シヤッターカーテンが巻装される巻き取りドラムの両端部が回転自在に支持される一対のブラケットを固定部材に固定して巻き取りユニットを構成し、該巻き取りユニットを、固定部材が床面に沿う倒伏姿勢としてクレーンに連結し、クレーンの上動作動で吊り上げて、固定部材が躯体上部の垂直面に沿う起立姿勢として躯体に固定するにあたり、前記巻き取りユニットの巻き取りドラムをクレーンに連結するとともに、固定部材を巻き上げ装置に連結し、倒伏姿勢の巻き取りユニットをクレーンにより上動させる一方、巻き上げ装置の巻き上げ操作により固定部材を巻き取りドラムに対して相対回転させて巻き取りユニットを起立姿勢とし、しかる後に、固定部材を躯体垂直面に固定するように構成した建築用シャッターにおける巻き取りユニットの取り付け方法。
【請求項２】
巻き上げ装置は、巻き取りドラムとともにクレーンに連結されており、クレーンにより巻き取りユニットを上動させる一方、巻き上げ装置の巻き上げ操作により固定部材を巻き取りドラムに対して相対回転させて起立姿勢とし、しかる後に、起立姿勢とした巻き取りユニットをクレーンにより予め設定される設置位置に移送して、躯体垂直面に固定するように構成した請求項１に記載の建築用シャッターにおける巻き取りユニットの取り付け方法。
【請求項３】
巻き取りユニットの巻取りドラムは、開閉機の駆動力に基づいて回転するものとし、開閉機は、巻き取りユニットを躯体垂直面に固定後、取り付けられるように構成されている請求項１または２の何れか一項に記載の建築用シャッターにおける巻き取りユニットの取り付け方法。
【発明の詳細な説明】
【技術分野】
【０００１】
本発明は、ビルや工場等の建築物に設けられる建築用シャッターにおける巻き取りユニットの取り付け方法の技術分野に属するものである。
【背景技術】
【０００２】
一般に、この種建築用シヤッターのなかには、広い開口に設けるもののように、シャッターカーテンの左右幅、上下幅ともに大型化したものがあり、このものでは、シャッターカーテンの重量が重くなることから、シャッターカーテンを巻装する巻き取りドラムや、該巻き取りドラムを回転駆動する開閉機等の部材装置も大型で重量の重いものになる。このため、建築現場にこのような重量シャッターを設置する場合では、それぞれの部材を設置箇所に持ち上げる作業をクレーンを用いて行うようにしている。このような重量シャッターの設置では、部材の持ち上げ作業だけでも長時間を要し、作業期限の規制のあるなかで遅延を招くことなく速やかに設置するのは困難であり、問題となっている。
【０００３】
この改善策として、固定部材（例えば下地材）に、左右一対のブラケットと、これらブラケットに左右両端部が固定され、シヤッターカーテンが巻装された巻き取りドラムを組み込むとともに、前記ブラケットに固定され、巻き取りドラムに連動連結されて巻き取りドラムを回転駆動する開閉機を予め組み込んだ巻き取りユニットを構成し、該巻き取りユニットを、クレーンで持ち上げ（吊り上げ）、固定部材を躯体上部の垂直面に沿った状態にして固定するようにして、クレーンによる持ち上げ作業が一度にできるようにした取り付け方法が提唱されている。
【特許文献１】特開平７−２０８０４０号公報
【発明の開示】
【発明が解決しようとする課題】
【０００４】
ところが、前記従来のものでは、クレーンを固定部材の上端部に連結して巻き取りユニットを持ち上げる構成である。このため、巻き取りユニットの重心を考慮すると、シャッターカーテンが巻装される巻き取りドラム部位が重く、クレーンで吊持したときの自然垂下状態において、固定部材の下端部が上動する傾斜姿勢となることが想定され、図示されているように、固定部材が垂直な姿勢を維持することはできないと考えられる。このように、傾斜姿勢となった状態で吊持された固定部材を躯体垂直面に固定しようとした場合、固定作業の以前の段階で固定部材を躯体垂直面に沿わせるべく固定部材を傾斜姿勢から垂直姿勢に強制的に変姿させなければならず、該変姿作業は、作業者が自力で、しかも、高所で行わなければならないうえ、巻き取りユニット自体が重いことから作業が困難で、設置時間の短縮が充分に図れないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、シヤッターカーテンが巻装される巻き取りドラムの両端部が回転自在に支持される一対のブラケットを固定部材に固定して巻き取りユニットを構成し、該巻き取りユニットを、固定部材が床面に沿う倒伏姿勢としてクレーンに連結し、クレーンの上動作動で吊り上げて、固定部材が躯体上部の垂直面に沿う起立姿勢として躯体に固定するにあたり、前記巻き取りユニットの巻き取りドラムをクレーンに連結するとともに、固定部材を巻き上げ装置に連結し、倒伏姿勢の巻き取りユニットをクレーンにより上動させる一方、巻き上げ装置の巻き上げ操作により固定部材を巻き取りドラムに対して相対回転させて巻き取りユニットを起立姿勢とし、しかる後に、固定部材を躯体垂直面に固定するように構成した建築用シャッターにおける巻き取りユニットの取り付け方法である。
請求項２の発明は、巻き上げ装置は、巻き取りドラムとともにクレーンに連結されており、クレーンにより巻き取りユニットを上動させる一方、巻き上げ装置の巻き上げ操作により固定部材を巻き取りドラムに対して相対回転させて起立姿勢とし、しかる後に、起立姿勢とした巻き取りユニットをクレーンにより予め設定される設置位置に移送して、躯体垂直面に固定するように構成した請求項１に記載の建築用シャッターにおける巻き取りユニットの取り付け方法である。
請求項３の発明は、巻き取りユニットの巻取りドラムは、開閉機の駆動力に基づいて回転するものとし、開閉機は、巻き取りユニットを躯体垂直面に固定後、取り付けられるように構成されている請求項１または２の何れか一項に記載の建築用シャッターにおける巻き取りユニットの取り付け方法である。
【発明の効果】
【０００６】
請求項１の発明とすることにより、巻き取りユニットを容易に起立姿勢に変姿することができ、巻き取りユニットの躯体への固定作業が容易になって作業時間の短縮を図ることができる。
請求項２の発明とすることにより、巻き取りユニットの躯体への固定作業を一層容易になり、さらなる作業時間の短縮を図れる。
請求項３の発明とすることにより、巻き取りユニットの組み込み作業が容易になるうえ、躯体への固定作業を容易にでき、固定作業の作業時間を短縮することができる。
【発明を実施するための最良の形態】
【０００７】
つぎに、本発明の実施の形態について、図面に基づいて説明する。
図面において、１は大開口に建付けられる建築用シヤッターのシャッターカーテンであって、該シャッターカーテン１は左右方向長尺状のスラット１ａを、上下方向に複数連装して構成されており、開口部上部の躯体側に回転自在に設けられる巻き取りドラム２に巻装されるように構成されている。そして、シャッターカーテン１は、巻き取りドラム２に連動連結された開閉機３の正逆駆動に伴う巻き取りドラム２の正逆回転に基づいて、巻き取りドラム２から巻き出し、巻き取りされ、左右両側部が開口部左右両側部の躯体側に配された左右一対のガイドレール４に移動案内を受ける状態で上下昇降動し、開口部の開閉をすること等の基本構成は従来通りとなっている。
【０００８】
そして、前記建築用シヤッターの躯体への取り付けはつぎのように構成されている。
つまり、本発明が実施された取り付け方法は、前記シャッターカーテン１が巻装される巻き取りドラム２等の必要な部材を、本発明の固定部材としての下地材５に予め組み込んだ巻き取りユニットＵを工場において用意し、このものを工場から現場に移送して、後述する取り付け方法に基づいて躯体に取り付けるように構成されている。
前記巻き取りユニットＵを構成する下地材５は、躯体側上部の垂直面に沿って固定されるものであり、角筒状に形成された上下一対の横パイプ材５ａと、これら横パイプ材５ａに直交してこれらを連結する角筒状の複数の縦パイプ材５ｂとを用い、横長矩形状に組み立てられている。前記下地材５は、巻き取りユニットＵの躯体取り付け状態において、前後面が面一状になるようＬ字形の連結金具５ｃを用いて一体的に連結されている。そして、下地材５は、縦パイプ材５ｂが上下方向を向く起立姿勢となることで躯体側垂直面に沿うが、巻き取りドラム２等の必要な部材装置を組み込む状態では、縦パイプ材５ｂが水平方向を向く倒伏姿勢（水平姿勢）として組み立て台上に載置されている。
【０００９】
つぎに、組み立て台上の下地材５に対し部材装置を組み込む手順について説明する。
まず、下地材５の左右両端部、即ち、横パイプ材５ａの左右端部の上面（巻き取りユニットＵの躯体取り付け状態において前面）に、矩形状の板材で構成された左右側の固定プレート６、７をそれぞれ一体的に固定する。前記左右側の固定プレート６、７は、一対の横パイプ材５ａに架け渡されるように設けられ、各左右側の固定プレート６、７の左右方向外方側の半部は、横フレーム５ａの左右端部よりも外方に突出するように配されている。また、左右側の固定プレート６、７の縦方向外方部位は、それぞれ横パイプ材５ａの縦方向中間部位まで延出するように配されている。
【００１０】
そして、左右側の固定プレート６、７の上面に、Ｌ字形に折曲形成された取り付け金具８をそれぞれ一体的に固定し、これら取り付け金具８に、それぞれ左、右側の取り付けブラケット９、１０の下端部（躯体取り付け状態において後端部）を一体化する。前記各左右側の取り付けブラケット９、１０は、図３（Ｂ）の図面において上方（巻き取りユニットＵの躯体取り付け状態で前方）に突出するように配設されており、右側取り付けブラケット１０は、左側取り付けブラケット９よりも突出量が長く形成されている。さらに、前記左右側の取り付けブラケット９、１０は、縦方向両端縁部にそれぞれ左右方向外方に向けて折曲された折曲片９ａ、１０ａが形成されており、これら折曲片９ａ、１０ａのうち、図３（Ａ）において上側（躯体取り付け状態において上側）に配される折曲片９ａ、１０ａと、該上側の折曲片９ａ、１０ａ側の横パイプ材５ａとに、リンク状のアーム９ｂ、１０ｂの両端部を一体的に固定し、これによって、取り付けブラケット９、１０の振れ止めをするように構成する。
【００１１】
一方、前記巻き取りドラム２は、左右側の取り付けブラケット９、１０に対して回転自在に軸承される回転軸２ａと、該回転軸２ａに対し一体的に外嵌して回転軸２ａとともに一体回動する巻き胴２ｂとにより構成されている。
そして、このように、下地材５に、左右側の固定プレート６、７、これら左右側の固定プレート６、７に一体化する左右側の取り付けブラケット９、１０、これら左右側の取り付けブラケット９、１０に回転自在に支持される巻き取りドラム２とを組み込んだものに対し、シャッターカーテン１を巻き取りドラム２の巻胴２ｂに巻装する。
【００１２】
この場合に、左側取り付けブラケット９よりも上方に長く突出する右側取り付けブラケット１０の突出先端部に開閉機３を取り付け、該開閉機３を巻き取りドラム２に連動連結し、開閉機３の正逆駆動に追随して巻き取りドラム２が正逆回転するように構成する。
一方、巻き取りドラム２の巻き胴２ｂに対し、シャッターカーテン１連結用の連結金具２ｃを連結し、該連結金具２ｃに、シャッターカーテン１の最上端を構成するスラット１ａを連結し、続いて、順次スラット１ａを連結するが、このとき、スラット１ａが適量（適枚数）連結されることに伴い開閉機３を駆動して、連結されたスラット１ａを巻き胴２ｂに巻き取り、このような作業を繰り返し行うことにより、シャッターカーテン１の最下端に連結する座板１ｂ以外のスラット１ａを巻き胴２ｂに巻装する。
ここで、本実施の形態では、巻き胴２ｂとシャッターカーテン１との連結部に連結金具２ｃを介装しているが、シャッターカーテンを構成するスラットの形状によっては、連結金具を用いることなく、直接スラット（シャッターカーテン１）を巻き胴に連結する構成としてもよい。さらには、シャッターカーテンを構成するスラットを長手方向複数に分割し、該分割したものを連結金具として、巻き胴に対して軸方向適箇所に連結し、ここにスラットを連結する構成とすることもできる。
【００１３】
このように、シャッターカーテン１を巻き取りドラム２に巻装した状態とした後、長手方向複数箇所においてスチールバンド２ｄ等の結束具を外嵌せしめて、シャッターカーテン１が巻き取りドラム２から巻き出されないよう、前記巻装状態を維持するように固定する。続いて、巻き取りドラム２と開閉機３との連動連結を解除し、開閉機３を右側取り付けブラケット１０から取り外し、これによって、シャッターカーテン１が巻装された状態の巻き胴２ｂ（巻き取りドラム２）が、回転軸２ａとともに左右側の取り付けブラケット９、１０（下地材５）に対して回転自在な状態で組み込まれた状態とする。
さらに、左右側の取り付けブラケット折曲片９ａ、１０ａのうち、図３（Ａ）において下側（躯体取り付け状態において下側）に配される折曲片９ａ、１０ａに、まぐさ受け部材１１の左右両端部を固定するが、該まぐさ受け部材１１は角筒状に形成されており、巻き取りユニットＵを躯体垂直面に取り付けた状態で、躯体開口部の近傍に配されるように構成されている。
【００１４】
そして、前述のように組み込まれた巻き取りユニットＵは、この状態において工場出荷され、設置現場に移送された後は、巻き取りユニットＵを倒伏姿勢とし、このものに対し、下地材５を構成する横パイプ材５ａの左右方向両端部である都合四箇所に、後述するキャスター１２をそれぞれ挿し込むようにして装着するように構成されている。これによって、重量のある巻き取りユニットＵを、荷降ろしした場所から実際に建築用シヤッター１を建付ける建て付け場所に移送する作業が円滑にできるようにしている。
つぎに、キャスター１２の詳細を説明するが、巻き取りユニットＵに配される四つのキャスター１２は、左右対称状の一組と、該一組に対しそれぞれ勝手違いに形成されたものが用いられており、ここでは、図３（Ａ）において、左上に配されるキャスター１２の位置関係に基づいて説明し、他の箇所に配されるものの位置関係についての説明は省略する。
【００１５】
前記キャスター１２は、載置板１２ａと、該載置板１２の下面に回転自在に固定される車輪１２ｂと、載置板１２ａ上面の下半部に配される角筒状の位置決め体１２ｃとを備えて構成されている。そして、図３（Ａ）において、左上に配れるキャスター１２は、位置決め体１２ｃの上面に、上側に位置する横パイプ材５ａの下側面を突き当て（沿わせ）る状態で挿し込んでセットすることで、位置決め体１２ｃの前面に固定プレート６が載置され、キャスター１２の載置板１２ａの前面に横パイプ材５ａが載置される状態となり、持って、キャスター１２による巻き取りユニットＵの左上部位の支持がなされるように構成されている。
このとき、キャスター１２は、載置板１２ａおよび位置決め体１２ｃの左端部と固定プレート６の左端部とが位置合せされた状態にセットされるように設定されている。このセット状態において、キャスター載置板１２ａの上側部位に下地材５が積層されない露出部位が形成されるとともに、位置決め体１２ｃの左側半部に横パイプ材５ａに沿わない（積層されない）露出部位が形成されるように設定され、これによって、作業者がこれら露出部を把持することができて、キャスター１２を巻き取りユニットＵに挿し込みセットする作業が容易になるように配慮されている。
【００１６】
そして、四個のキャスター１２は、それぞれ対応する横パイプ材５ａの端部において挿し込みセットされ、固定されることになるが、各キャスター１２は、載置板１２ａと固定プレート６との左側端縁部、載置板１２ａと固定プレート７の右側端縁部においてそれぞれクランプ１２ｄにより固定するとともに、各位置決め体１２ｃと固定プレート６、７とを止め螺子１２ｅにより固定することにより下地材５に一体化されている。尚、キャスター１２を固定プレート６、７と一体化するための一体化手段としては、前記クランプ１２ｄや止め螺子１２ｅによるものに限定されることはなく、容易に着脱操作ができ、かつ、キャスター１２が安定な姿勢で巻き取りユニットＵに装着され、該姿勢が変姿しないような状態で一体化できるものであればよく、また、一つのキャスター１２に対し、前記実施の形態のように二種類のものをそれぞれ一箇所づつ設ける構成に限定されることはない。
【００１７】
このように、巻き取りユニットＵに装着されたキャスター１２は、四つの車輪１２ｂを接地させることにより、車輪１２ｂの転動に伴い円滑に走行するように構成されており、これによって、巻き取りユニットＵは、荷降ろしされた場所から設置場所に円滑、かつ、容易に移送できるように構成されている。
【００１８】
つぎに、設置現場に移送された巻き取りユニットＵを予め設定される設置箇所に固定する手順について説明する。
設置現場に移送された巻き取りユニットＵは、キャスター１２上において倒伏姿勢となっているが、このものに対し、図９（Ａ）に示すように、巻き取りドラム２の巻き胴２ｂの左右方向中央部位において第一索体１３を巻き掛け（本実施の形態では安定性の確保のため巻き胴２ｂの二箇所に巻き掛ける）、該巻き掛けられた第一索体１３の遊端部を、図示しないクレーンに設けられるフック１４に連結する。
さらに、巻き取りユニットＵの躯体取り付け状態において上側位置となる（アーム９ｂ、１０ｂが固定される側の）横パイプ材５ａの左右方向中央部に、第二索体１５を巻き掛け、該第二索体１５の遊端部を、クレーンに吊持された巻き上げ装置１６（本実施の形態ではホイスト）に連結する。これによって、クレーンの持ち上げ作動による巻き取りユニットＵ全体の上動作動とともに、巻き上げ装置１６の操作紐１６ａの操作に伴う横パイプ材５ａの上動作動ができるように構成されている。
そして、第一、第二索体１３、１５を巻き取りユニットＵに連結した後、下地材５の四つのコーナー部に配されるキャスター１２を、クランプ１２ｄ、止め螺子１２ｅとをそれぞれ取り外すことにより、巻き取りユニットＵとキャスター１２との一体化を解消する。
【００１９】
この状態において、クレーンの操作に基づいてフック１４を僅かに上動せしめるが、これにより、図９（Ｂ）の仮想線に示すように、巻き取りユニットＵは巻き取りドラム２部位が吊持された状態で、キャスター１２の上方に変位する。続いて、巻き上げ装置１６の操作紐１６ａを操作して第二索体１５を巻き上げて横パイプ材５ａを上動させるが、このとき、巻き取りドラム２は、開閉機３が取り外されているため、取り付けブラケット９、１０（下地材５）に対してフリーな状態（回転自在）となっている。これによって、横パイプ材５ａが第二索体１５を介して強制上動することにより、第一索体１３により吊持される巻き取りドラム２の回転軸２ａを回転中心とし、下地材５および左右側のブラケット９、１０とが相対回転揺動し、巻き取りユニットＵは、図９（Ｂ）の実線で示すように、縦パイプ材５ｂが水平姿勢から次第に上下方向を向くように変姿する。
前記状態から、さらに第二索体１５の巻き上げ操作を続けると、下地材５の一対の横パイプ材５ａが上下方向に並列し、縦パイプ材５ｂが上下方向を向き、持って、巻き取りユニットＵが起立姿勢となり、この状態において、巻き上げ装置１６の巻き上げ操作を停止することにより、巻き取りユニットＵは、起立姿勢に保持された状態で吊持される。
【００２０】
そして、図９（Ｃ）に示すように、クレーンを操作することにより起立姿勢を保持した巻き取りユニットＵを持ち上げて設置予定箇所の近傍に移動せしめ、下地材５を躯体側の垂直面に沿わせる状態とする。
ここで、躯体側垂直面には、図１０に示すように、巻き取りユニットＵの取り付け位置に対応して、左右一対の左右端部材１７が設けられている。そして、クレーンで持ち上げられて起立姿勢に保持された巻き取りユニットＵは、下地材５を、左右端部材１７のあいだに位置する状態として躯体垂直面に突き当て状に沿わせ、固定プレート６、７左右方向外側半部の後面を、左右端部材１７の前面に溶着等の一体化手段により一体化することにより、巻き取りユニットＵを躯体に固定する。さらに、本実施の形態では、巻き取りユニットＵの上方の躯体垂直面に、左右方向複数の中間部材１８が固定されている。前記中間部材１８は、縦パイプ材５ｂに続く状態で配され、下端部が横パイプ材５ａの上面に突き当てられるようにして固定されており、横パイプ材５ａと中間部材１８とのあいだを、Ｌ字状の固定金具１９を用いて一体化（例えば溶着）することにより、巻き取りユニットＵの躯体への補助的な固定ができるように構成されている。
そして、巻き取りユニットＵの躯体への固定作業が終了した段階で、第一、第二索体１３、１５を巻き取りユニットＵからそれぞれ取り外し、右側取り付けブラケット１０に開閉機３を取り付け、巻き取りドラム２と開閉機３とを連動連結することにより、建築用シヤッターの主要な部材の取り付けが終了する。
【００２１】
叙述の如く構成された本形態において、工場において、下地材５に、左右側の取り付けブラケット９、１０、該取り付けブラケット９、１０に回転自在に支持され、予めシャッターカーテン１が巻き取られた巻き取りドラム２とを設けた巻き取りユニットＵを用意し、このものを工場から設置現場に移送する構成としたので、工場から現場への搬送が容易になる。そして、設置現場で巻き取りユニットＵを固定する場合に、巻き取りユニットＵは、開閉機３が連動連結されておらず、巻き取りドラム２が下地材５および左右側の取り付けブラケット９、１０に対して回転自在となっている。そして、巻き取りユニットＵは、構成部材のうち、最も重量のある巻き取りドラム２の巻き胴２ｂに第一索体１３が懸け回され、該第一索体１３を介して巻き胴２ｂがクレーンにより吊持され、しかも、下地材５の横パイプ材５ａのうち、躯体取り付け状態で上側に位置する横パイプ５ａが第二索体１５を介して巻き上げ装置１６に連結され、巻き上げユニットＵを第一索体１３で吊持したとき、巻き上げ装置１６を巻き上げ操作することで、下地材５と、これに一体化された左右側の取り付けブラケット９、１０を、巻き取りドラム２の回転軸２ａを回転中心として回転揺動させ、縦パイプ材５ｂが上下方向を向く起立姿勢とすることができる。この結果、巻き取りユニットＵは、起立姿勢となった状態で躯体垂直面近傍に移送することができ、従来のもののように、傾斜姿勢となった固定部材を起立姿勢に強制的に変姿させる作業が不要となって、躯体垂直面への固定作業が容易となり、作業時間の短縮が図れるうえ、取り付け精度を向上させることができる。
【００２２】
しかも、本発明が実施されたものにあっては、第一、第二索体１３、１５とは、両者ともクレーンのフック１４に連結されているので、第一索体１３を僅かに上動させた後、巻き上げ装置１６を操作して巻き取りユニットＵを起立姿勢とすることにより、起立姿勢を保持した状態でクレーンによる移送を行うことができ、作業性が一層優れる。
【００２３】
また、工場において巻き取りユニットＵを組み立てる段階で、巻き取りドラム２にシャッターカーテン１を巻装する作業を行う工程では、巻き取りドラム２に開閉機３を連動連結し、スラット１ａを順次連結しつつ、開閉機３を駆動することで、シャッターカーテン１を組み込みながら巻き取りドラム２に巻装するようにしたので、シャッターカーテン１の巻装作業を作業性よく円滑に行うことができる。そして、巻き取りユニットＵを躯体に取り付ける場合では、開閉機３を取り外し、巻き取りドラム２が左右側の取り付けブラケット９、１０（下地材５）に対して回転自在な状態とし、第二索体１５の巻き上げで起立姿勢に変姿できる状態で取り付ける構成としたので、工場での組み込み作業ではシャッターカーテン１の巻装作業が容易になり、躯体への取り付け作業においては巻き取りユニットＵを起立姿勢に保持できて、作業性の向上が図れる。
【００２４】
このように、本発明が実施されたものにあっては、工場において巻き取りユニットＵに開閉機３を取り付けてシャッターカーテン１の巻装作業を容易にし、設置現場に搬送して躯体垂直面に固定するあいだは開閉機３を取り外し、巻き取りユニットＵを起立姿勢として持ち上げて固定作業をした後に、再度開閉機を取り付ける構成としたので、躯体取り付け作業が容易になる。
【図面の簡単な説明】
【００２５】
【図１】建築用シヤッターの正面図である。
【図２】建築用シャッターの側面図である。
【図３】図３（Ａ）、（Ｂ）、（Ｃ）はそれぞれ巻き取りユニットから巻き取りドラムを取り外した状態の平面図、図３（Ａ）のＸ−Ｘ断面図、底面図である。
【図４】図４（Ａ）、（Ｂ）はそれぞれ巻き取りユニットの平面図、背面図である。
【図５】巻き取りユニットから巻き取りドラムを取り外した状態の正面図である。
【図６】図５のＸ−Ｘ断面図である。
【図７】図７（Ａ）、（Ｂ）はそれぞれ巻き取りユニットの斜視図、図７（Ａ）から取り付けブラケットを取り外した状態の要部拡大図である。
【図８】図８（Ａ）、（Ｂ）、（Ｃ）はそれぞれキャスターの平面図、正面図、側面図である。
【図９】図９（Ａ）、（Ｂ）、（Ｃ）はそれぞれ巻き取りユニットの躯体取り付け状態を説明する側面図である。
【図１０】躯体に下地材を取り付けた状態を説明する正面図である。
【符号の説明】
【００２６】
１    シャッターカーテン
２    巻き取りドラム
２ｂ    巻き胴
３    開閉機
５    下地材
５ａ    横パイプ材
６    固定プレート
９    取り付けブラケット
１２    キャスター
１３    第一索体
１４    フック
１５    第二索体
１６    巻き上げ装置
【図１】
2007113344.tif 000003
【図２】
2007113344.tif 000004
【図３】
2007113344.tif 000005
【図４】
2007113344.tif 000006
【図５】
2007113344.tif 000007
【図６】
2007113344.tif 000008
【図７】
2007113344.tif 000009
【図８】
2007113344.tif 000010
【図９】
2007113344.tif 000011
【図１０】
2007113344.tif 000012